(57)【要約】【課題】バーマグネットの支持部材との溶接による結合部分の接合強度を向上させる。【解決手段】バーマグネット１０を構成する永久磁石１１とヨーク１２をそれらの両端から挟持する一対のエンドプラグ１４，１５の一方のエンドプラグ１５が、支持部材６０と密着し、その少なくとも支持部材６０側の外周面をチューブ１６の外側に露出させ、この露出した外周面と支持部材６０との間が溶接１９によって固着される。【選択図】　図１
2004016957.tif 000002
【特許請求の範囲】
【請求項１】
粉粒体、液体などの流動体の移動経路に配置されて前記流動体に含まれる磁性体異物を磁気力によって吸着除去するバーマグネットと、
このバーマグネットを少なくともその一端で支持する支持部材と
を備えたバーマグネットの固定構造において、
前記バーマグネットは、
同極同士が対向するように配置された複数の永久磁石と、
これら永久磁石の間に挿入された複数の磁性体からなるヨークと、
これら永久磁石とヨークの両端に配置されて前記複数の永久磁石とヨークとを配列方向に挟持する一対のエンドプラグと、
前記複数の永久磁石とヨークとを内部に収容する非磁性体のチューブとを備え、
少なくとも一方の前記エンドプラグは、前記永久磁石およびヨークと反対側の端面が前記支持部材と密着し、その少なくとも支持部材側の外周面が前記チューブの外側に露出し、この露出した外周面と前記支持部材との間が溶接によって固着されている
ことを特徴とするバーマグネットの固定構造。
【請求項２】
前記支持部材に溶接されるエンドプラグは、永久磁石側が小径部、支持部材側が大径部となる円筒状に形成され、前記小径部が前記チューブの内部に収容され、前記大径部の前記支持部材側の縁部が前記支持部材に溶接されていることを特徴とする請求項１記載のバーマグネットの固定構造。
【請求項３】
前記支持部材に溶接されるエンドプラグは、前記支持部材側の縁部が、前記支持部材の支持面に所定の曲率をもって滑らかに結合するテーパを形成していることを特徴とする請求項１記載のバーマグネットの固定構造。
【請求項４】
前記支持部材のエンドプラグが密着する面に所定深さの掘り込み部が形成され、前記支持部材に溶接されるエンドプラグは、前記支持部材の掘り込み部に嵌合されていることを特徴とする請求項１に記載のバーマグネットの固定構造。
【請求項５】
前記永久磁石とヨークとをそれらの配列方向に貫通するシャフトを備え、
前記シャフトの一端は、前記支持部材に溶接されるエンドプラグを貫通して前記支持部材にねじ結合され、
前記シャフトの他端は、別のエンドプラグにねじ結合され、
前記一対のエンドプラグは、それぞれの永久磁石側の端部が前記チューブに収容され、永久磁石と反対側の端部が前記チューブの内径よりも大きい大径部を形成し、前記大径部で前記チューブを挟持するものである
ことを特徴とする請求項１〜４のいずれか１項記載のバーマグネットの固定構造。
【発明の詳細な説明】
【０００１】
【発明の属する技術分野】
本発明は、粉粒体、液体などの流動体の移動経路に配置されたバーマグネットの磁気力によって前記流動体に混入した磁性粉等の磁性体異物を除去する磁性体異物除去装置に関し、特にバーマグネットの固定構造に関する。
【０００２】
【従来の技術】
粉粒体、液体などの流動体からなる食品や薬剤等の製造工程では、パワーミル等の粉砕機により原料を粉砕する工程や金属スクリーンによる篩過工程等で目的物質の中に金属粉等の異物が混入することがある。このように目的物質中に混入した金属粉等を除去するため、従来よりバーマグネットを使用した磁性体異物除去装置が使用されている。
【０００３】
図５は、このような磁性体異物除去装置で使用されるバーマグネットの従来の固定構造を示す断面図である。バーマグネット５０は、軸方向に着磁されて同極同士が対向するように配置された複数の円筒状の永久磁石５１と、これら永久磁石５１の間に挿入された複数の磁性体からなる円板状のヨーク５２と、これらの両端に配置されて永久磁石５１と、ヨーク５２とを配列方向に挟持する一対のエンドプラグ５４，５５と、これらを内部に収容する非磁性体の円筒状のチューブ５６とから構成されている。エンドプラグ５４は、溶接５７によりチューブ５６の先端部に固定されている。エンドプラグ５５は、ねじ５８によって支持部材６０に結合されている。支持部材６０は、複数のバーマグネット５０を支持する支持フレームや目的物質が移動するチャンバーの内壁などである。チューブ５６の他端側は支持部材６０に当接している。そして、バーマグネット６０の支持部材６０への固定強度の向上と、チューブ１６内への目的物質や磁性粉の混入などを防止するため、支持部材６０に直角に当接するバーマグネット５０の端部と支持部材６０とが溶接５９によって固定されている。
【０００４】
【発明が解決しようとする課題】
ところで、バーマグネット５０を構成するチューブ５６の厚みは、バーマグネット表面での磁束密度をそれほど低下させることなく、かつ内部の永久磁石５１を十分に保護できる程度の厚み、例えば０．５〜１．０ｍｍ程度に設定される。このため、チューブ５６の端部で溶接を行う場合、チューブ５６の厚みがあまり厚くないため、十分な溶かし込みをすることができない。特に、支持部材６０との間の溶接５９は、十分な溶接強度をとることができず、しかもチューブ５６とエンドプラグ５５とが別体となるため、支持部材６０に対してバーマグネット５０が垂直方向にぐらぐらと動いてしまうという問題がある。このような構造では、チューブ５６が支持部材６０から外れて内部の永久磁石５１が外側に飛び足したりする。
【０００５】
本発明は、このような問題点に鑑みなされたもので、支持部材に安定に支持されるバーマグへネットの固定構造を提供することを目的とする。
【０００６】
【課題を解決するための手段】
本発明に係るバーマグネットの固定構造は、粉粒体、液体などの流動体の移動経路に配置されて前記流動体に含まれる磁性体異物を磁気力によって吸着除去するバーマグネットと、このバーマグネットを少なくともその一端で支持する支持部材とを備えたバーマグネットの固定構造において、前記バーマグネットは、同極同士が対向するように配置された複数の永久磁石と、これら永久磁石の間に挿入された複数の磁性体からなるヨークと、これら永久磁石とヨークの両端に配置されて前記複数の永久磁石とヨークとを配列方向に挟持する一対のエンドプラグと、前記複数の永久磁石とヨークとを内部に収容する非磁性体のチューブとを備え、少なくとも一方の前記エンドプラグは、前記永久磁石およびヨークと反対側の端面が前記支持部材と密着し、その少なくとも支持部材側の外周面が前記チューブの外側に露出し、この露出した外周面と前記支持部材との間が溶接によって固着されていることを特徴とする。
【０００７】
本発明によれば、バーマグネットを構成する永久磁石とヨークをそれらの両端から挟持する一対のエンドプラグの少なくとも一方が、前記支持部材と密着し、その少なくとも支持部材側の外周面を前記チューブの外側に露出させ、この露出したエンドプラグの外周面と前記支持部材との間が溶接によって固着されるようにしているので、支持部材とバーマグネットの溶接部を十分に溶かし込むことができ、接合強度を高めることができる。
【０００８】
支持部材に溶接されるエンドプラグは、例えば永久磁石側が小径部、支持部材側が大径部となる円筒状に形成され、小径部がチューブの内部に収容され、大径部の支持部材側の縁部が支持部材に溶接されるようなものとすることができる。また、支持部材に溶接されるエンドプラグの支持部材側の縁部が、例えば支持部材の支持面に所定の曲率をもって滑らかに結合するテーパを形成するものであると、溶接作業も容易になり、支持部材側の縁部が、前記支持部材の支持面に所定の曲率をもって滑らかに結合するテーパを形成しているので、目的物質である粉粒体や液体が、バーマグネットと支持部材との間の結合部で溜まるこことがなく、且つ清掃もし易くなる。
【０００９】
また、支持部材のエンドプラグが密着する面に所定深さの掘り込み部が形成され、支持部材に溶接されるエンドプラグが、支持部材の掘り込み部に嵌合されているものであると、エンドプラグと支持部材との結合強度を更に向上させることができる。
【００１０】
本発明の更に他の実施形態においては、永久磁石とヨークとをそれらの配列方向に貫通するシャフトを備え、前記シャフトの一端が、支持部材に溶接されるエンドプラグを貫通して支持部材にねじ結合され、シャフトの他端が、別のエンドプラグにねじ結合され、一対のエンドプラグは、それぞれの永久磁石側の端部が前記チューブに収容され、永久磁石と反対側の端部が前記チューブの内径よりも大きい大径部を形成し、前記大径部で前記チューブを挟持するものである。バーマグネットがこのような構造であると、シャフトの両端で永久磁石とヨークの列が安定して挟持され、万一、チューブが破損しても永久磁石が磁気力によって飛び出すようなことがない。
【００１１】
【発明の実施の形態】
以下、図面に基づいて本発明の好ましい実施形態を説明する。
図１は、本発明の一実施形態に係るバーマグネットの固定構造を示す断面図である。
バーマグネット１０は、前述した従来のバーマグネット５０と、エンドプラグ１５側の構造のみが異なっている。即ち、バーマグネット１０は、軸方向に着磁されて同極同士が対向するように配置された複数の円筒状の永久磁石１１と、これら永久磁石１１の間に挿入された複数の磁性体からなる円板状のヨーク１２と、これらの両端に配置されて永久磁石１１と、ヨーク１２とを配列方向に挟持する一対のエンドプラグ１４，１５と、これらを内部に収容する非磁性体の円筒状のチューブ１６とから構成されている。
【００１２】
エンドプラグ１４は円柱状で、チューブ１６内に収容される。エンドプラグ１５は、軸方向の永久磁石１１に対向する側を小径部、反対側を大径部とし、小径部がチューブ１６に収容され、大径部がチューブ１６の外側に露出する。エンドプラグ１４の先端側縁部とチューブ１６の先端部、及びエンドプラグ１５の露出した外周面とチューブ１６の端部との間は、永久磁石１１およびヨーク１２をその積層方向の両側から挟持し、且つチューブ１６の内部を密閉するため、溶接１７，１７´により結合されている。エンドプラグ１５は、ねじ１８によって支持部材６０に結合されている。支持部材６０は、複数のバーマグネット１０を支持する支持フレームや目的物質が移動するチャンバーの内壁などである。エンドプラグ１５の端面は、支持部材６０に密着し、その端面の外周面と支持部材６０との間が溶接１９によって固定されている。
【００１３】
本実施形態においては、まず、エンドプラグ１４，１５とチューブ１６とが溶接１７，１７´により結合される。これにより、バーマグネット１０単体で永久磁石１１およびヨーク１２がチューブ１６の内部に保持される。そして、ねじ１８によってバーマグネット１０を支持部材６０に仮止めし、更に溶接１９によって完全結合する。この構造では、チューブ１６よりも肉厚のあるエンドプラグ１５と支持部材６０とが溶接１９によって結合されるので、十分な溶かし込みが可能であり、これにより支持部材６０とバーマグネット１０の結合強度が大幅に向上する。
【００１４】
図２は、本発明の他の実施形態に係るバーマグネットの固定構造を示す図である。
バーマグネット２０は、軸方向に着磁されて同極同士が対向するように配置された複数の環状の永久磁石２１と、これら永久磁石２１の間に挿入された複数の磁性体からなる環状のヨーク２２と、これらを配列方向（軸方向）に貫通するシャフト２３と、このシャフト２３の両端に配置されて永久磁石２１と、ヨーク２２とを配列方向に挟持する一対のエンドプラグ２４，２５と、これらを内部に収容する非磁性体の円筒状のチューブ２６とから構成されている。シャフト２３の両端には、ねじ部２３ａ，２３ｂが形成され、一方のねじ部２３ａがエンドプラグ２４にねじ結合され、他方のねじ部２３ａが支持部材７０にねじ結合されている。支持部材７０は、複数のバーマグネットを支持する支持フレームや目的物質が移動するチャンバーの内壁などである。
【００１５】
エンドプラグ２４は、軸方向の永久磁石２１に対向する側を小径部、反対側を大径部とし、小径部がチューブ２６に収容され、大径部がチューブ２６の外側に露出する。エンドプラグ２５も、軸方向の永久磁石２１に対向する側を小径部、反対側を大径部とし、小径部がチューブ２６に収容され、大径部がチューブ２６の外側に露出する。そして、エンドプラグ２５のチューブ２６から露出した外周部と支持部材７０とが溶接２７によって固定されている。
【００１６】
本実施形態では、支持部材７０にシャフト２３を取り付けた後、このシャフト２３に、エンドプラグ２５、チューブ２６、永久磁石２１、ヨーク２２、永久磁石２１、ヨーク２２、…、エンドプラグ２４の順に組み付け、最後にエンドプラグ２５と支持部材７０とを溶接することによりバーマグネット２０を支持部材７０に固定することができる。エンドプラグ２４，２５とチューブ２６との間は、適宜、溶接、シール材の塗布等によりシールされる。
【００１７】
この実施形態によれば、先に述べた効果に加え、永久磁石２１とヨーク２２とを、シャフト２３により連結されたエンドプラグ２４，２５によって両側から安定して挟持することができる。
【００１８】
図３は、本発明の更に他の実施形態に係るバーマグネットの固定構造の要部を示す断面図である。
この実施形態のバーマグネット３０は、エンドプラグ３１の大径部の支持部材７０側の端部が、支持部材７０の支持面に所定の曲率をもって滑らかに結合するテーパを形成している。そして、このテーパ部に溶接３２を施すようになっている。他の構成は、図２と同様であるため、重複する部分の説明は割愛する。
【００１９】
このような構成によれば、エンドプラグ３１の支持部材７０側の端部が、支持部材７０の支持面に所定の曲率をもって滑らかに結合するテーパを形成しているので、目的物質である分粒体や液体が溜まり難く、また、清掃もし易いという効果を奏する。このため、特に目的物質が食品や薬品等である場合、衛生上好ましくない事態が生じるのを防止することができる。また、エンドプラグ３１のテーパ側の端面が広い面積で支持部材７０の支持面と当接するので、支持部材７０に安定して固定されるという効果を奏する。
【００２０】
図４は、本発明の更に他の実施形態にかかるバーマグネットの固定構造の要部を示す断面図である。
この実施形態では、バーマグネット４０のエンドプラグ４１が固定される支持部材８０のエンドプラグ４１が密着する面に所定深さの掘り込み部８１が形成され、支持部材８０に溶接４２によって固定されるエンドプラグ４１は、支持部材８０の掘り込み部８１に嵌合されている。このような構成によれば、バーマグネット４０に加わる垂直荷重に対する強度を向上させることができるという効果を奏する。
【００２１】
【発明の効果】
以上述べたように本発明によれば、バーマグネットを構成する永久磁石とヨークをそれらの両端から挟持する一対のエンドプラグの少なくとも一方が、前記支持部材と密着し、その少なくとも支持部材側の外周面を前記チューブの外側に露出させ、この露出した外周面と前記支持部材との間が溶接によって固着されるようにしているので、支持部材とバーマグネットの溶接部を十分に溶かし込むことができ、接合強度を高めることができるという効果を奏する。
【図面の簡単な説明】
【図１】本発明の一実施形態に係るバーマグネットの固定構造を示す断面図である。
【図２】本発明の他の実施形態に係るバーマグネットの固定構造を示す断面図である。
【図３】本発明の更に他の実施形態に係るバーマグネットの固定構造の要部を示す断面図である。
【図４】本発明の更に他の実施形態に係るバーマグネットの固定構造の要部を示す断面図である。
【図５】従来のバーマグネットの固定構造を示す断面図である。
【符号の説明】
１０，２０，３０，４０，５０…バーマグネット
１１，２１，５１…永久磁石
１２，２２，５２…ヨーク
１４，１５，２４，２５，３１，４１，５４，５５…エンドプラグ
１６，２６，５６…チューブ
１７，１７´，１９，２７，３２，４２，５９…溶接
６０，７０，８０…支持部材
【図１】
2004016957.tif 000003
【図２】
2004016957.tif 000004
【図３】
2004016957.tif 000005
【図４】
2004016957.tif 000006
【図５】
2004016957.tif 000007